(57)【要約】【課題】湿度等の環境変化に伴って外側のケースの寸法が増大した場合においても、内側のケースの割れやケース間のガタツキ等の不具合を低減すること。【解決手段】上面が開口された内部ケース３と、内部ケース３の開口部に配設された固定接点及び可動接点と、内部ケース３の開口部を覆う蓋体４と、蓋体４に挿通され可動接点を操作可能な操作部材５と、固定接点から導出された固定端子が挿通されると共に内部ケース３及び蓋体４を収納する箱状の外部ケース２とを備え、内部ケース３及び蓋体４が耐アーク性の絶縁性の樹脂で形成される一方、外部ケース２が内部ケース３よりも可撓性がある熱可塑性樹脂で形成され、外部ケース２の内壁の一面に内部ケース３又は蓋体４の収納に伴って変形可能な複数のリブを設けると共に当該内壁の一面の近傍の内底面に位置決め突起を設け、複数のリブ及び位置決め突起により内部ケース３及び蓋体４を固定することを特徴とする。【選択図】図１
0003148859.tif 000002
【実用新案登録請求の範囲】
【請求項１】
上面が開口された第１ケースと、この第１ケースの開口部に配設された固定接点及び可動接点と、前記第１ケースの開口部を覆うと共に上面部に窓孔が形成された蓋体と、この蓋体の前記窓孔に挿通され前記可動接点を操作可能な操作部材と、前記固定接点から導出された固定端子が挿通される貫通孔を有すると共に前記第１ケース及び蓋体を収納する箱状の第２ケースとを備え、
前記第１ケース及び蓋体は、耐アーク性の絶縁性の樹脂で形成される一方、前記第２ケースは、前記第１ケースよりも可撓性がある熱可塑性樹脂で形成され、前記第２ケースの内壁の一面に前記第１ケース及び蓋体の少なくともいずれか一方の収納に伴って変形可能な複数のリブを設けると共に当該内壁の一面の近傍の内底面に位置決め突起を設け、前記複数のリブ及び位置決め突起により前記第１ケース及び蓋体を固定することを特徴とするスイッチ装置。
【請求項２】
前記第１ケースに位置決め孔を設け、当該位置決め孔に前記位置決め突起を挿通させると共に、前記蓋体の一部で前記複数のリブを変形させて当該第１ケース及び蓋体を前記第２ケースに固定したことを特徴とする請求項１記載のスイッチ装置。
【請求項３】
前記位置決め突起の一部に、前記位置決め孔への挿通に伴って変形するリブを設けたことを特徴とする請求項２記載のスイッチ装置。
【請求項４】
前記第２ケースの長手方向に沿った前記内壁の一面の延在方向に離間した一対の前記位置決め突起を設ける一方、前記第１ケースに一対の前記位置決め孔を設け、一方の前記位置決め孔を前記第２ケースの内壁の一面の延在方向に長い長孔としたことを特徴とする請求項３記載のスイッチ装置。
【請求項５】
前記長孔とした前記位置決め孔に挿通される一方の前記位置決め突起に前記第２ケースの内壁の一面の延在方向と直交する方向に延出する一対の前記リブを設ける一方、他方の前記位置決め突起に前記第２ケースの内壁の一面の延在方向及び当該方向と直交する方向に延出する二対の前記リブを設けたことを特徴とする請求項４記載のスイッチ装置。
【請求項６】
前記第２ケースの内底面に前記貫通孔に隣接して前記固定接点を支持する突出部を設ける一方、前記第１ケースに前記固定接点を支持した前記突出部を露出させる露出孔を形成し、前記突出部と前記露出孔との間に前記第２ケースの寸法変化を吸収可能なクリアランスを設けたことを特徴とする請求項１から請求項５のいずれかに記載のスイッチ装置。
【請求項７】
前記第２ケースの内壁の一面と対向する他面の近傍であって、前記一対の位置決め突起に対向する位置に一対の前記固定接点を設けたことを特徴とする請求項４又は請求項５記載のスイッチ装置。
【請求項８】
前記蓋体の一部に、前記第１ケースに設けられた位置決め用の凹部又は凸部と係合する凸部又は凹部を設けたことを特徴とする請求項１から請求項７のいずれかに記載のスイッチ装置。
【請求項９】
前記第１ケース及び蓋体を不飽和ポリエステルで構成する一方、前記第２ケース及び操作部材をポリアミドで構成し、前記第２ケースで前記操作部材を揺動可能に支持したことを特徴とする請求項１から請求項８のいずれかに記載のスイッチ装置。
【考案の詳細な説明】
【技術分野】
【０００１】
本考案は、スイッチ装置に関し、特に、電源スイッチや電圧切替用スイッチなどに好適に用いられるシーソー型のスイッチ装置に関する。
【背景技術】
【０００２】
従来、電源スイッチ等に用いられるシーソー型のスイッチ装置として、開口内部に固定接点及び可動接点を設け、これらの接点部を覆う蓋体を有する第１のケースと、この第１のケース及び蓋体を収納する第２のケースとを備え、第１のケース内に一部が挿通された操作部材に対する回動操作に伴って第１のケース内の可動接点及び固定接点を接離させるものが知られている（例えば、特許文献１参照）。
【０００３】
このスイッチ装置においては、第２のケース内に収納される第１のケースに環境（湿度）に対して寸法変化の少ないＰＰＳや熱硬化性樹脂（不飽和ポリエステル）を使用する一方、第２のケースに環境に対して寸法変化が大きなポリアセタールやポリアミドを使用し、第２のケースに設けた４つの凸部を第１のケースに設けた４つの貫通孔に嵌合させることにより、両ケースの位置決めを行っている。
【特許文献１】特許第３７０４０２１号公報
【考案の開示】
【考案が解決しようとする課題】
【０００４】
しかしながら、上述した従来のスイッチ装置においては、環境に対して寸法変化が大きいポリアミド等を第２のケースに用いているため、湿度等の環境が変化すると、第２のケースの寸法変化に起因してケース間のガタツキなどの不具合が発生するという問題がある。特に、第２のケースが膨張した場合には、凸部間の距離が増大することとなり、貫通孔を介して第１のケースにストレスが掛かり極端な場合には割れてしまう事態が発生するおそれがある。
【０００５】
本考案はかかる問題点に鑑みて為されたものであり、湿度等の環境変化に伴って外側のケースの寸法が増大した場合においても、内側のケースの割れや、ケース間のガタツキなどの不具合を低減することができるスイッチ装置を提供することを目的とする。
【課題を解決するための手段】
【０００６】
本考案のスイッチ装置は、上面が開口された第１ケースと、この第１ケースの開口部に配設された固定接点及び可動接点と、前記第１ケースの開口部を覆うと共に上面部に窓孔が形成された蓋体と、この蓋体の前記窓孔に挿通され前記可動接点を操作可能な操作部材と、前記固定接点から導出された固定端子が挿通される貫通孔を有すると共に前記第１ケース及び蓋体を収納する箱状の第２ケースとを備え、前記第１ケース及び蓋体は、耐アーク性の絶縁性の樹脂で形成される一方、前記第２ケースは、前記第１ケースよりも可撓性がある熱可塑性樹脂で形成され、前記第２ケースの内壁の一面に前記第１ケース及び蓋体の少なくともいずれか一方の収納に伴って変形可能な複数のリブを設けると共に当該内壁の一面の近傍の内底面に位置決め突起を設け、前記複数のリブ及び位置決め突起により前記第１ケース及び蓋体を固定することを特徴とする。
【０００７】
上記スイッチ装置によれば、第２ケースの内壁の一面に設けられた複数のリブと、当該内壁の一面の近傍の内底面に設けられた位置決め突起とを基準として第１ケース及び蓋体が固定されることから、第１ケース又は蓋体に対する第２ケースの固定箇所間の距離を短縮でき、第２ケースの寸法変化に伴う第１ケース又は蓋体への影響を低減できるので、湿度等の環境変化に伴って第２ケースの寸法が増大した場合においても、第１ケースの割れや、第１、第２ケース間のガタツキなどの不具合を低減することが可能となる。
【０００８】
本考案のスイッチ装置においては、前記第１ケースに位置決め孔を設け、当該位置決め孔に前記位置決め突起を挿通させると共に、前記蓋体の一部で前記複数のリブを変形させて当該第１ケース及び蓋体を前記第２ケースに固定することが好ましい。この場合には、第２ケースに組み込む順序に応じて第１ケース及び蓋体を第２ケースに固定することができるので、スイッチ装置を組み立てる際の作業効率を確保しつつ、湿度等の環境変化に伴う第２ケースの寸法変化に起因する不具合を低減することが可能となる。
【０００９】
本考案のスイッチ装置においては、前記位置決め突起の一部に、前記位置決め孔への挿通に伴って変形するリブを設けることが好ましい。この場合には、位置決め孔に対する位置決め突起の挿通に伴って位置決め突起のリブを変形させることができるので、第２ケースに対して第１ケースを収納する過程で第１ケースを精度良く位置決めしつつ、効果的に第２ケースに固定することが可能となる。
【００１０】
本考案のスイッチ装置においては、前記第２ケースの長手方向に沿った前記内壁の一面の延在方向に離間した一対の前記位置決め突起を設ける一方、前記第１ケースに一対の前記位置決め孔を設け、一方の前記位置決め孔を前記第２ケースの内壁の一面の延在方向に長い長孔とすることが好ましい。この場合には、第１ケースに設けた一対の位置決め孔に第２ケースに設けた一対の位置決め突起を挿通させて第１ケースが固定されることから、第２ケースに対して第１ケースを精度よく位置決めすると共に固定することが可能となる。また、位置決め突起が挿通される一方の位置決め孔を第２ケースの長手方向に長い長孔としたことから、位置決め突起の配列方向に第２ケースの寸法変化が発生した場合においても、長孔内部で位置決め突起の移動が許容されるので、当該第２ケースの長手方向における寸法変化を吸収でき、簡単な構成で第２ケースの寸法変化に起因する不具合を低減することが可能となる。
【００１１】
特に、本考案のスイッチ装置においては、前記長孔とした前記位置決め孔に挿通される一方の前記位置決め突起に前記第２ケースの内壁の一面の延在方向と直交する方向に延出する一対の前記リブを設ける一方、他方の前記位置決め突起に前記第２ケースの内壁の一面の延在方向及び当該方向と直交する方向に延出する二対の前記リブを設けることが好ましい。この場合には、位置決め突起に設けたリブの変形により第２ケースに収納された第１ケースを効果的に固定しつつ、位置決め突起の配列方向に第２ケースの寸法変化が発生した場合においても、当該第２ケースの寸法変化を吸収することが可能となる。
【００１２】
また、本考案のスイッチ装置においては、前記第２ケースの内底面に前記貫通孔に隣接して前記固定接点を支持する突出部を設ける一方、前記第１ケースに前記固定接点を支持した前記突出部を露出させる露出孔を形成し、前記突出部と前記露出孔との間に前記第２ケースの寸法変化を吸収可能なクリアランスを設けることが好ましい。この場合には、第２ケースの寸法変化が発生した場合においても、突出部と露出孔との間に設けたクリアランスにより当該第２ケースの寸法変化を吸収することができるので、露出孔と突出部との過度な当接により第１ケースが破損する事態を防止することが可能となる。
【００１３】
さらに、本考案のスイッチ装置においては、前記第２ケースの内壁の一面と対向する他面の近傍であって、前記一対の位置決め突起に対向する位置に一対の前記固定接点を設けることが好ましい。この場合には、一対の位置決め突起と一対の固定接点とが対向して配置されるので、固定接点の配列方向の寸法が小型化されたスイッチ装置を提供することが可能となる。
【００１４】
さらに、本考案のスイッチ装置においては、前記蓋体の一部に、前記第１ケースに設けられた位置決め用の凹部又は凸部と係合する凸部又は凹部を設けることが好ましい。この場合には、第１ケースに設けた凹部又は凸部と蓋体の凸部又は凹部とを係合させて第１ケースに対する蓋体の位置決めを行うことができるので、第２ケースの寸法変化が発生した場合においても、第１ケースと蓋体との相対位置関係を一定に維持することが可能となる。
【００１５】
さらに、本考案のスイッチ装置においては、前記第１ケース及び蓋体を不飽和ポリエステルで構成する一方、前記第２ケース及び操作部材をポリアミドで構成し、前記第２ケースで前記操作部材を揺動可能に支持することが好ましい。この場合には、固定接点及び可動接点が内部に設けられる第１ケース及び蓋体が不飽和ポリエステルで構成されているので、固定接点と可動接点との接離に伴ってアークが発生する場合においても、これに応じて発火する事態を確実に防止することが可能となる。
【考案の効果】
【００１６】
本考案によれば、第２ケースの内壁の一面に設けられた複数のリブと、当該内壁の一面の近傍の内底面に設けられた位置決め突起とを基準として第１ケース及び蓋体が固定されることから、第１ケース又は蓋体に対する第２ケースの固定箇所間の距離を短縮でき、第２ケースの寸法変化に伴う第１ケース又は蓋体への影響を低減できるので、湿度等の環境変化に伴って外側に配置される第２ケースの寸法が増大した場合においても、内側に配置される第１ケースの割れや、第１、第２ケース間のガタツキなどの不具合を低減することが可能となる。
【考案を実施するための最良の形態】
【００１７】
以下、本考案の一実施の形態について添付図面を参照して詳細に説明する。
図１は、本考案の一実施の形態に係るスイッチ装置１の全体構成を示す分解斜視図である。図１に示すように、本実施の形態に係るスイッチ装置１は、上方に開口した外部ケース２と、この外部ケース２に収納され、上方に開口した内部ケース３及びこの内部ケース３の開口部を覆うように内部ケース３上に配置される蓋体４と、これらの内部ケース３及び蓋体４内の空間に一部を配置した状態で揺動可能に外部ケース２に取り付けられる操作部材５とを有して構成されている。
【００１８】
内部ケース３及び蓋体４内の空間には、コイルばね６が組み付けられた導体板７が操作部材５の揺動に伴って動作可能に配設されている。外部ケース２には、後述する内部ケース３の露出孔３０７ａ、３０７ｂを介して内部ケース３内に露出する中央端子８及び接点端子９が固定されている。導体板７は、後述する中央端子８の平面部８０２上に配設され、操作部材５の回動に伴ってその下面の一部に設けられた可動接点７１を接点端子９に設けられた固定接点９１と接離可能に構成されている。以下、本実施の形態に係るスイッチ装置１を構成する各部材について説明する。
【００１９】
外部ケース２は、第２ケースを構成するものであり、内部ケース３よりも可撓性を有する樹脂材料で形成されている。例えば、外部ケース２は、内部ケース３よりも環境に対して寸法変化が大きいポリアセアールやポリアミドなどの熱可塑性の樹脂材料で形成されている。上述したように、外部ケース２は、上方に開口した箱状を有しており、その内部に内部ケース３等が収納される収納部２０１が設けられている。平面視して矩形状をなした外部ケース２が有する側壁部のうち、長手方向の側壁部２０２の上方側中央には、後述する操作部材５の軸部５０２が係合する孔２０３が形成されている。また、外部ケース２の短手方向の側壁部２０４には、スイッチ装置１が取り付けられる電子機器等へのスナップ係合用のフック部２０５が設けられている。
【００２０】
図２（ａ）は、本実施の形態に係るスイッチ装置１が有する外部ケース２を平面視した上面図であり、同図（ｂ）、（ｃ）は、同図（ａ）に示す一点鎖線における断面図である。なお、図２（ｂ）及び（ｃ）は、図２（ａ）を一点鎖線で切断した場合の、図２（ａ）における図示上方側及び下方側を見た断面図をそれぞれ示している。図２（ａ）に示すように、外部ケース２の内底面２０６には、一方の側壁部２０２ａの近傍に一対の貫通孔２０７ａ、２０７ｂが形成されている。これらの貫通孔２０７ａ、２０７ｂは、側壁部２０２ａの近傍であって、側壁部２０２ａの延在方向に沿って並べて配置され、それぞれ中央端子８及び接点端子９が圧入される。これらの貫通孔２０７ａ、２０７ｂには、特に図２（ｂ）に示すように、内底面２０６から上方に向けて突出する突出部２０８ａ、２０８ｂがそれぞれ隣接して設けられる一方、内底面２０６よりも低く形成された凹部２０９ａ、２０９ｂがそれぞれ隣接して設けられている。また、突出部２０８ａよりも図２（ａ）、（ｂ）に示す右方側の位置には、突出部２０８ａと略同一高さを有する突出部２０８ｃが設けられている。これらの突出部２０８ａ、２０８ｃは、中央端子８の下面を支持するものであり、突出部２０８ｂは、接点端子９の下面を支持するものである。
【００２１】
また、外部ケース２の内底面２０６には、特に図２（ｃ）に示すように、他方の側壁部２０２ｂの近傍に内部ケース３の位置決め用の一対の位置決め突起２１０ａ、２１０ｂが設けられている。これらの位置決め突起２１０ａ、２１０ｂは、概して円柱形状を有しており、外部ケース２の長手方向である側壁部２０２ｂの延在方向に沿って並べて配置されている。また、位置決め突起２１０ａ、２１０ｂは、それぞれ上述した貫通孔２０７ａ、２０７ｂの中央部分に対応する位置に設けられている。このように中央端子８及び接点端子９が圧入される貫通孔２０７ａ、２０７ｂに対向する位置に位置決め突起２１０ａ、２１０ｂを設けていることから、外部ケース２の側壁部２０２の延在方向の寸法が小型化されたスイッチ装置１を提供することが可能となっている。
【００２２】
図２（ａ）に示す左方側の位置決め突起２１０ａの側面（周面）には、外部ケース２の側壁部２０４の延在方向に突出状態で延出する一対のリブ２１１が設けられている。一方、図２（ａ）に示す右方側の位置決め突起２１０ｂの側面（周面）には、外部ケース２の側壁部２０４の延在方向に突出状態で延出する一対のリブ２１２ａが設けられると共に、外部ケース２の側壁部２０２の延在方向に突出状態で延出する一対のリブ２１２ｂが設けられている。なお、これらのリブ２１１、２１２ａ、２１２ｂは、いずれも上下方向に延びるように位置決め突起２１０ａ、２１０ｂに形成されている。さらに、側壁部２０２ａ、２０２ｂの端部近傍であって、内底面２０６の近傍には、外部ケース２の側壁部２０４の延在方向に突出状態で延出するそれぞれ一対のリブ２１３ａ、２１３ｂが上下方向（上方側）に延在して設けられている（図２（ｂ）、（ｃ）参照）。これらのリブ２１１、２１２ａ、２１２ｂ、並びに、リブ２１３ａ、２１３ｂは、外部ケース２に対する内部ケース３或いは蓋体４の収納に伴って押し潰されて変形し、内部ケース３及び蓋体４を固定する役割を果たす。
【００２３】
図３及び図４は、このような外部ケース２に固定される中央端子８及び接点端子９の構成を説明するための図である。図３（ａ）は、本実施の形態に係るスイッチ装置１が有する中央端子８の斜視図であり、同図（ｂ）及び（ｃ）は、それぞれ中央端子８の正面図及び側面図である。図４（ａ）は、本実施の形態に係るスイッチ装置１が有する接点端子９の斜視図であり、同図（ｂ）及び（ｃ）は、それぞれ接点端子９の正面図及び側面図である。これらの中央端子８及び接点端子９は、導電性を有する金属材料で形成され、後述する内部ケース３の露出孔３０７ａ、３０７ｂを介して外部ケース２の貫通孔２０７ａ、２０７ｂに圧入される。
【００２４】
図３（ａ）〜（ｃ）に示すように、中央端子８は、下方側に延出する端子部８０１と、この端子部８０１の上端部から直角に屈曲して設けられた平面部８０２とを有している。この中央端子８は、可動接点７１を備えた導体板７と常時導通するコモン端子となっている。端子部８０１は、外部ケース２の貫通孔２０７ａに圧入される部分であり、平面部８０２は、外部ケース２の突出部２０８ａ、２０８ｃ上に配置される一方、導体板７が載置される部分である。なお、この平面部８０２は、導体板７と常時接触するコモン接点として機能する固定接点を構成する。端子部８０１の上端近傍には、開口部８０３が形成され、この開口部８０３の中央には係合片８０４が設けられている。この係合片８０４は、端子部８０１が貫通孔２０７ａに圧入された後、凹部２０９ａ側に折り曲げられることで中央端子８を外部ケース２に固定するために設けられている。また、開口部８０３の側方側には、一対の突起部８０５が設けられている。これらの突起部８０５は、外部ケース２に対する中央端子８の確実な固定を確保するために設けられている。
【００２５】
平面部８０２の一端には、上方側に突出すると共に、図３（ｂ）に示す右方側に延出する一対の規制片８０６が設けられている。これらの規制片８０６の内面には、突出部８０７が設けられている。これらの規制片８０６は、平面部８０２に載置された導体板７の側壁部２０２側への移動を規制するために設けられている。また、これらの規制片８０６の下面には、後述する内部ケース３の突出片３０８を収容する凹部８０８が設けられている。これらの凹部８０８で内部ケース３の突出片３０８を収容することにより中央端子８の位置決めが行われるものとなっている。
【００２６】
図４（ａ）〜（ｃ）に示すように、接点端子９は、下方側に延出する端子部９０１と、この端子部９０１の上端部から直角に屈曲して設けられた平面部９０２とを有している。端子部９０１は、外部ケース２の貫通孔２０７ｂに圧入される部分であり、平面部９０２は、外部ケース２の突出部２０８ｂ上に配置される部分である。端子部９０１の上端近傍には、開口部９０３が形成され、この開口部９０３の中央には係合片９０４が設けられている。この係合片９０４は、端子部９０１が貫通孔２０７ｂに圧入された後、凹部２０９ｂ側に折り曲げられることで接点端子９を固定するために設けられている。また、開口部９０３の側方側には、一対の突起部９０５が設けられている。これらの突起部９０５は、外部ケース２に対する端子部９０１の確実な固定を確保するために設けられている。平面部９０２には、上方に突出して固定接点９１が設けられている。固定接点９１は、概してボタン形状を有しており、導体板７の可動接点７１と接離可能に構成されている。
【００２７】
内部ケース３は、第１ケースを構成するものであり、耐アーク性を有する絶縁性の樹脂材料で形成されている。例えば、ＰＰＳ（ポリフェニレンサルファイド）又は不飽和ポリエステルなどの熱硬化性の樹脂材料で形成されている。上述したように、内部ケース３は、平面視して矩形状をなすと共に、上方に開口した箱状を有しており、その内部に中央端子８及び接点端子９が収納される収納部３０１が設けられている。内部ケース３の内底面３０２の中央近傍には、内部ケース３の長手方向に沿って隔壁３０３が立設されている。収納部３０１は、この隔壁３０３、内部ケース３の長手方向の側壁部３０４及び短手方向の側壁部３０５ａ、３０５ｂ内に形成される空間で構成されている。隔壁３０３を挟んで収納部３０１と反対側の位置には、一対の凹部３０６ａ、３０６ｂが設けられている。
【００２８】
図５（ａ）は、本実施の形態に係るスイッチ装置１が有する内部ケース３の拡大斜視図であり、同図（ｂ）は、内部ケース３の上面図である。図５（ａ）、（ｂ）に示すように、収納部３０１の内底面３０２には、側壁部３０４の延在方向に沿って一対の露出孔３０７ａ、３０７ｂが設けられている。これらの露出孔３０７ａ、３０７ｂは、それぞれ外部ケース２の突出部２０８ａ、２０８ｂを挿通状態で露出させるために設けられている。なお、これらの露出孔３０７ａ、３０７ｂと、突出部２０８ａ、２０８ｂとの間には、外部ケース２の環境変化に伴う寸法変化を吸収可能なクリアランスが設けられている。中央端子８、接点端子９の平面部８０２、９０２は、露出孔３０７ａ、３０７ｂを介して露出した突出部２０８ａ、２０８ｂの上面に配置される。
【００２９】
また、これらの露出孔３０７ａ、３０７ｂの間には、一対の突出片３０８が側壁部３０５ａの延在方向に沿って立設されている。これらの突出片３０８は、外部ケース２に固定された中央端子８の凹部８０８に収容される。隔壁３０３における露出孔３０７ｂの近傍には、上方側に向けて突出する突出片３０９が設けられている。側壁部３０５ａの端部（凹部３０６ａの近傍の端部）には、後述する蓋体４の係合凹部４０８と係合する係合凸部３１０が設けられている。また、側壁部３０５ｂの外壁面には、後述する蓋体４の突出片４０７を収容する凹部３１１が設けられている。これらの突出片３０９、係合凸部３１０及び凹部３１１は、内部ケース３に対する蓋体４の位置決めを行う役割を果たす。
【００３０】
なお、露出孔３０７ａと突出片３０８との間に位置する内底面３０２には、外部ケース２の突出部２０８ｃを挿通させるための露出孔３０７ｃが設けられている。この露出孔３０７ｃと突出部２０８ｃとの間には、外部ケース２の環境変化に伴う寸法変化を吸収可能なクリアランスが設けられている。
【００３１】
さらに、一対の凹部３０６ａ、３０６ｂの内底面３０２には、外部ケース２に対する内部ケース３の位置決めを行うための位置決め孔３１２ａ、３１２ｂが形成されている。これらの位置決め孔３１２ａ、３１２ｂは、側壁部３０４の延在方向に沿って並べて配置されている。これらの位置決め孔３１２ａ、３１２ｂのうち、凹部３０６ｂに形成された位置決め孔３１２ｂは、円形状の孔で構成される一方、凹部３０６ａに形成された位置決め孔３１２ａは、側壁部３０４の延在方向に僅かに長い長孔で構成されている。一方の位置決め孔３１２ａを長孔で構成したのは、湿度等の環境変化に伴う位置決め突起２１０ａ、２１０ｂ間の距離の増大を吸収するためである。なお、これらの位置決め孔３１２ａ、３１２ｂの寸法は、上述した位置決め突起２１０ａ、２１０ｂに設けられたリブ２１１、２１２ａ、２１２ｂの外側の寸法よりも僅かに小さく構成されている。
【００３２】
導体板７は、導電性を有する金属材料で形成されており、中央端子８の平面部８０２上の端部に傾倒可能に配置される基部７０１と、この基部７０１の図１に示す左方側の一端から上方側に屈曲して設けられ、コイルばね６を保持する保持部７０２と、基部７０１の同図に示す右方側の一端から上方側に屈曲して設けられると共に右方側に延出する斜面部７０３とを有している。これらの保持部７０２と斜面部７０３との間には、コイルばね６を収容する収容部７０４が形成されている。斜面部７０３の下面には、上述した可動接点７１が設けられている。この可動接点７１は、概してボタン形状を有しており、操作部材５の回動操作に伴って接点端子９の固定接点９１と接離可能に構成されている。
【００３３】
図６（ａ）は、本実施の形態に係るスイッチ装置１が有する導体板７の斜視図であり、同図（ｂ）、（ｃ）及び（ｄ）は、この導体板７にコイルばね６を組み付けた状態の斜視図、上面図及び側面図である。図６（ａ）に示すように、保持部７０２の上端部近傍には、斜面部７０３側に突出して一対の保持片７０５ａ、７０５ｂが設けられている。一方、斜面部７０３の側面の一部には、上方側に突出する係止片７０６が設けられると共に、その中央上面から突出する突出部７０７が設けられている。
【００３４】
コイルばね６は、金属線材で形成されたトーションばねからなり、特に図６（ｂ）〜（ｄ）に示すように、巻回部６０１と、この巻回部６０１から延出する一対の腕部６０２ａ、６０２ｂとで構成されている。コイルばね６は、導体板７の保持片７０５ａ、７０５ｂで側方側への移動が規制された状態で収容部７０４に巻回部６０１が収容され、一方の腕部６０２ａが保持片７０５ｂで係止されると共に、他方の腕部６０２ｂが係止片７０６で係止されている。コイルばね６は、このような状態で導体板７に仮止めされた状態となり、スイッチ装置１を組み立てる際には、導体板７と共に内部ケース３の開口部に配設することが可能となっている。
【００３５】
蓋体４は、内部ケース３と同様に、耐アーク性を有する絶縁性の樹脂材料で形成されている。例えば、ＰＰＳ（ポリフェニレンサルファイド）又は不飽和ポリエステルなどの熱硬化性の樹脂材料で形成されている。蓋体４は、平面視して矩形状をなすと共に、下方に開口した箱状部４０１を有しており、この箱状部４０１の内部には、内部ケース３の収納部３０１と連結されて中央端子８及び接点端子９が収納される収納部４０２が設けられている（図１に不図示、図７（ｄ）参照）。この箱状部４０１の下端部の一部には、側方側に延出する平面部４０３が設けられている。また、箱状部４０１の上面部４０４の所定位置には、後述する操作部材５の当接片５０３が挿通される窓孔４０５が形成されている。
【００３６】
このように本実施の形態に係るスイッチ装置１において、固定接点９１及び可動接点７１が内部に設けられる内部ケース３及び蓋体４が、不飽和ポリエステル等の熱硬化性の樹脂材料で形成されているので、固定接点９１と可動接点７１との接離に伴ってアークが発生する場合においても、これに応じて発火する事態を確実に防止することが可能となっている。
【００３７】
図７（ａ）は、本実施の形態に係るスイッチ装置１が有する蓋体４の斜視図であり、同図（ｂ）、（ｃ）及び（ｄ）は、それぞれ蓋体４の上面図、側面図及び下面図である。図７（ａ）〜（ｄ）に示すように、平面部４０３における短手方向の一方の側壁部４０６ａには、その中央に下方側に突出する板状の突出片４０７が設けられている。一方、短手方向の他方の側壁部４０６ｂには、一方の側端部に係合凹部４０８が設けられている。蓋体４は、突出片４０７が内部ケース３の凹部３１１に収容される一方、係合凹部４０８で内部ケース３の係合凸部３１０を収容することで内部ケース３に対して位置決めされている。
【００３８】
また、平面部４０３における長手方向の側壁部４０９ａ、４０９ｂの端部近傍には、それぞれ側方側に僅かに突出する突出部４１０ａ、４１０ｂが設けられている。なお、これらの突出部４１０ａ（突出部４１０ｂ）の外側部分間の寸法は、外部ケース２の側壁部２０２ａ、２０２ｂに対向して設けられたリブ２１３ａ、２１３ｂ間の寸法よりも僅かに大きく構成されている。これらの突出部４１０ａ、４１０ｂは、蓋体４が外部ケース２の収納部２０１に収納される際に、側壁部２０２ａ、２０２ｂに設けられた対応するリブ２１３ａ、２１３ｂとそれぞれ当接してこれらを変形させるものとなっている。
【００３９】
操作部材５は、外部ケース２と同様に、内部ケース３よりも環境に対して寸法変化が大きいポリアセアールやポリアミドなどの熱可塑性の樹脂材料で形成されている。操作部材５は、下方側に開口する形状を有し、操作者の操作を受け付ける操作部５０１と、この操作部５０１の側面から側方側に突出して設けられた軸部５０２とを有している。これらの軸部５０２を外部ケース２の孔２０３に係合させることで、操作部材５は、一定範囲内で回動可能に外部ケース２に保持されている。
【００４０】
図８（ａ）は、本実施の形態に係るスイッチ装置１が有する操作部材５の下面図であり、同図（ｂ）は、同図（ａ）に示す一点鎖線における断面図である。図８（ａ）、（ｂ）に示すように、操作部５０１の下面の中央近傍の位置からは、下方側に延出する当接片５０３が設けられている。この当接片５０３は、蓋体４に設けられた窓孔４０５から内部に挿通され、その先端部が導体板７に組み付けられたコイルばね６の一部に当接するように構成されている。当接片５０３の先端部には、導体板７に組み付けられたコイルばね６の巻回部６０１の上部を収容する収容部５０４が設けられている。この収容部５０４は、巻回部６０１の上部を収容しながら、その表面に接触可能に設けられており、操作部材５の回動に伴ってコイルばね６を介して導体板７を揺動可能に構成されている。
【００４１】
このような構成を有するスイッチ装置１を組み立てると、図９に示すように、外部ケース２の収納部２０１の内部に、導体板７及びコイルばね６を配設した状態の内部ケース３及び蓋体４を収納する一方、その一部を上方側に露出した状態で操作部材５が外部ケース２に取り付けられている。なお、中央端子８及び接点端子９が有する端子部８０１及び端子部９０１は、外部ケース２の内底面２０６に設けられた貫通孔２０７ａ、２０７ｂを介して下方側に突出した状態となっている。
【００４２】
ここで、外部ケース２の内部における構成部品の状態について説明する。図１０及び図１１は、本実施の形態に係るスイッチ装置１が有する外部ケース２の内部における構成部品の状態について説明するための斜視図である。図１０においては、内部ケース３と、中央端子８及び接点端子９と、コイルばね６が組み付けられた導体板７との関係を示し、図１１においては、図１０に示す状態の内部ケース３に蓋体４を取り付けた状態を示している。中央端子８及び接点端子９は、実際には外部ケース２に固定されるものであるが、説明の便宜上、図１０及び図１１においては、内部ケース３との関係でこれらを示している。
【００４３】
図１０に示すように、中央端子８及び接点端子９は、平面部８０２及び平面部９０２を内部ケース３の露出孔３０７ａ、３０７ｂから上方に露出した状態で配設されている。この場合において、内部ケース３の内底面３０２に立設された突出片３０８は、中央端子８の規制片８０６の下面に設けられた凹部８０８に収容された状態となっている。また、コイルばね６が組み付けられた導体板７は、中央端子８の平面部８０２上に配置されており、その基部７０１の一部が双方の規制片８０６の間に配置された状態となっている。このとき、基部７０１は、平面部８０２の端部から一部が図示右下側にはみ出した状態となっており、操作部材５の回動に伴って、導体板７は平面部８０２の端部（角部）を支点として傾倒可能となっている。
【００４４】
蓋体４は、図１１に示すように、図１０に示す状態の内部ケース３に対して配置される。この場合において、蓋体４は、その係合凹部４０８が内部ケース３の係合凸部３１０を収容する一方、その突出片４０７が内部ケース３の凹部３１１に収容されるように内部ケース３に配置される。このように内部ケース３に設けた係合凸部３１０及び凹部３１１と、蓋体４の係合凹部４０８及び突出片４０７とを係合させて内部ケース３に対する蓋体４の位置決めが行われるので、後述するように外部ケース２の寸法変化が発生した場合においても、同一材料からなり寸法変化の小さい内部ケース３と蓋体４との相対位置関係を一定に維持することが可能となる。また、蓋体４は、箱状部４０１の内部に形成された収納部４０２と、内部ケース３の収納部３０１とが密閉されるように内部ケース３に配置されている。このため、固定接点９１と可動接点７１との接離に伴って発生するアークに起因する不具合を適切に回避できるものとなっている。
【００４５】
以下、本実施の形態に係るスイッチ装置１を組み立てる際の工程について説明する。スイッチ装置１を組み立てる場合には、外部ケース２の収納部２０１に内部ケース３を収納した状態で、中央端子８及び接点端子９を内部ケース３の露出孔３０７ａ、３０７ｂを介して外部ケース２の貫通孔２０７ａ、２０７ｂに圧入する。このように中央端子８及び接点端子９を圧入した後、係合片８０４、９０４を折り曲げることにより、中央端子８及び接点端子９が外部ケース２に対して固定できるものとなっている。そして、内部ケース３の上方側に露出した中央端子８の平面部８０２上に、コイルばね６が組み付けられた導体板７を載置した後、これらを収納するように蓋体４を内部ケース３に配置する。その後、蓋体４に設けられた窓孔４０５に当接片５０３を挿通させるように操作部材５を外部ケース２に収納し、その軸部５０２を外部ケース２の孔２０３を係合させることで図９に示すスイッチ装置１が完成する。
【００４６】
このように組み立てる工程において、外部ケース２に内部ケース３を収納する際には、図１２に示すように、外部ケース２の内底面２０６に立設された位置決め突起２１０ａ、２１０ｂを、それぞれ内部ケース３の位置決め孔３１２ａ、３１２ｂに挿通させる。この場合、位置決め孔３１２ａ、３１２ｂの寸法は、位置決め突起２１０ａ、２１０ｂに設けられたリブ２１１、２１２ａ、２１２ｂの外側の寸法よりも僅かに小さく構成されている。このため、外部ケース２に対する内部ケース３の収納に伴って位置決め孔３１２ａ、３１２ｂの内部によりリブ２１１、２１２ａ、２１２ｂが押し潰されて変形し、内部ケース３を固定できるものとなっている。このように、位置決め孔３１２ａ、３１２ｂに対する位置決め突起２１０ａ、２１０ｂの挿通に伴って位置決め突起２１０ａ、２１０ｂのリブを変形させることができるので、外部ケース２に対して内部ケース３を収納する過程で内部ケース３を精度良く位置決めしつつ、効果的に外部ケース２に固定できるものとなっている。なお、外部ケース２の側壁部２０２ａ、２０２ｂの内壁面に設けられたリブ２１３ａ、２１３ｂは、内部ケース３と接触することはない。
【００４７】
また、外部ケース２に収納された内部ケース３に対して蓋体４を配置する際には、図１３に示すように、蓋体４の側方側に設けられた突出部４１０ａ、４１０ｂを、外部ケース２の側壁部２０２ａ、２０２ｂの内壁面に設けられた対応するリブ２１３ａ、２１３ｂに接触させながら蓋体４を外部ケース２の収納部２０１に収納する。この場合、突出部４１０ａ（突出部４１０ｂ）の外側部分間の寸法は、対向するリブ２１３ａ、２１３ｂ間の寸法よりも僅かに大きく構成されているため、外部ケース２に対する蓋体４の挿入に伴って突出部４１０ａ、４１０ｂにより対応するリブ２１３ａ、２１３ｂが押し潰されて変形し、蓋体４を固定できるものとなっている。
【００４８】
すなわち、本実施の形態に係るスイッチ装置１においては、外部ケース２の位置決め突起２１０ａ、２１０ｂにより内部ケース３が固定される一方、外部ケース２のリブ２１３ａ、２１３ｂにより蓋体４が固定される。なお、内部ケース３と蓋体４とは、内部ケース３の係合凸部３１０と蓋体４の係合凹部４０８との係合、並びに、蓋体４の突出片４０７と内部ケース３の凹部３１１との係合により位置決めされている。つまり、一定関係に位置決めされた内部ケース３及び蓋体４が、同一部材である外部ケース２の一部により固定された状態となっている。
【００４９】
このように本実施の形態に係るスイッチ装置１においては、内部ケース３に位置決め孔３１２ａ、３１２ｂを設け、これらの位置決め孔３１２ａ、３１２ｂに位置決め突起２１０ａ、２１０ｂを挿通させる一方、蓋体４に設けた突出部４１０ａ、４１０ｂでリブ２１３ａ、２１３ｂを変形させて内部ケース３及び蓋体４を外部ケース２に固定している。このため、外部ケース２に組み込む順序に応じて内部ケース３及び蓋体４を外部ケース２に固定することができるので、スイッチ装置１を組み立てる際の作業効率を確保できるものとなっている。
【００５０】
次に、このように組み立てられたスイッチ装置１の動作について説明する。図１４及び図１５は、本実施の形態に係るスイッチ装置１の断面図である。図１４及び図１５においては、内部ケース３の隔壁３０３と、突出片３０８との間の位置における長手方向に沿った断面について示している。なお、図１４においては、操作部材５が操作されていない状態（初期状態）について示し、図１５においては、操作部材５が操作された状態について示している。図１４に示すスイッチ装置１は、図９に示す状態のスイッチ装置１の断面図に相当する。
【００５１】
図９に示すように組み立てられた場合、図１４に示すように、操作部材５の当接片５０３の先端部は、内部ケース３及び蓋体４の内部に配設された導体板７及びコイルばね６に到達している。そして、コイルばね６の巻回部６０１の上部は、当接片５０３の先端に設けられた収容部５０４に収容された状態となっている。操作部材５が操作されていない状態においては、収容部５０４がコイルばね６の巻回部６０１を図１４に示す左下方側に付勢した状態となっており、これに伴って導体板７の斜面部７０３に設けられた可動接点７１が接点端子９に設けられた固定接点９１から離間した状態となっている。
【００５２】
図９に示す状態から操作部５０１の上方側に配置された一部を押圧すると、外部ケース２に係合している軸部５０２を回動支点として操作部材５が図１５に示すように回動する。このように操作部材５が回動すると、当接片５０３においては、収容部５０４がコイルばね６の巻回部６０１を図１５に示す右下方側に付勢した状態に切り替えられ、これに伴って導体板７が傾倒すると共に、この導体板７の斜面部７０３に設けられた可動接点７１が接点端子９に設けられた固定接点９１に接触した状態に切り替わるものとなっている。
【００５３】
ここで、本実施の形態に係るスイッチ装置１において、湿度等の環境変化に伴って外部ケース２の寸法が増大した場合の外部ケース２と内部ケース３及び蓋体４との関係について説明する。本実施の形態に係るスイッチ装置１においては、このように外部ケース２の寸法が増大した場合においても、その寸法変化を吸収して内部ケース３等の割れやケース間のガタツキなどの不具合を低減するように構成されている。ここでは、説明の便宜上、外部ケース２の寸法が側壁部２０４の延在方向に増大する場合と、側壁部２０２の延在方向に増大する場合とに分けて説明する。前者及び後者の双方向に増大した場合には、これらを組み合わせて外部ケース２の寸法変化を吸収するものとなっている。なお、内部ケース３と蓋体４は、いずれも不飽和ポリエステル等の熱硬化性樹脂材料で形成されているので、外部ケース２に比べて環境変化に伴う寸法変化は極めて小さいため無視することが可能である。
【００５４】
外部ケース２の寸法が側壁部２０４の延在方向に増大する場合、内部ケース３上に配置された蓋体４を固定する外部ケース２のリブ２１３ａ、２１３ｂが蓋体４から離間する方向に移動することとなる。しかしながら、本スイッチ装置１においては、この場合でも外部ケース２の側壁部２０２ｂの内壁の一面に設けられたリブ２１３ｂと、当該側壁部２０２ｂの内壁の一面の近傍の内底面２０６に設けられた位置決め突起２１０ａ、２１０ｂとを基準として内部ケース３及び蓋体４が固定された状態を維持できるものとなっている。この場合、内部ケース３及び蓋体４に対する外部ケース２の固定箇所間の距離、すなわち、位置決め突起２１０ａ、２１０ｂとリブ２１３ｂとの間の外部ケース２の短手方向における距離を短かくでき、外部ケース２の寸法変化に伴う内部ケース３への影響を低減できるので、内部ケース３の割れや、ケース間のガタツキなどの不具合を低減することが可能となっている。なお、この場合、位置決め突起２１０ａ、２１０ｂから遠い外部ケース２の側壁部２０２ａに設けられたリブ２１３ａは蓋体４から離間することが考えられるが、蓋体４は側壁部２０２ｂ側のリブ２１３ｂや、一体化される内部ケース３を介して位置決め突起２１０ａ、２１０ｂにより位置決めされるので、外部ケース２に対するガタツキが低減されるものとなっている。
【００５５】
また、本実施の形態に係るスイッチ装置１においては、上述のように内部ケース３の露出孔３０７ａ、３０７ｂと、これらの露出孔３０７ａ、３０７ｂから露出される外部ケース２の突出部２０８ａ、２０８ｂとの間に外部ケース２の環境変化に伴う寸法変化を吸収可能なクリアランスを設けている。これにより、外部ケース２の寸法変化を吸収することができるので、露出孔３０７ａ、３０７ｂと突出部２０８ａ、２０８ｂとの過度な当接により内部ケース３が破損する事態を防止することが可能となっている。
【００５６】
一方、外部ケース２の寸法が側壁部２０２の延在方向に増大する場合、内部ケース２に形成された位置決め孔３１２ａ、３１２ｂに挿通されている位置決め突起２１０ａ、２１０ｂ間の距離が離間するように外部ケース２の寸法が増大することとなる。しかしながら、本スイッチ装置１においては、一方の位置決め孔３１２ａを長孔で構成していることから、この位置決め突起２１０ａ、２１０ｂ間の距離の変化を吸収できるので、位置決め孔３１２ａ、３１２ｂと位置決め突起２１０ａ、２１０ｂとの過度な当接により内部ケース３が破損する事態を防止することが可能となっている。
【００５７】
特に、本実施の形態に係るスイッチ装置１においては、長孔とした位置決め孔３１２ａに挿通される位置決め突起２１０ａに外部ケース２の側壁部２０４の延在方向に延出する一対のリブ２１１を設ける一方、他方の位置決め突起２１０ｂに外部ケース２の側壁部２０２、２０４の延在方向に延出する二対のリブ２１２ａ、２１２ｂを設けていることから、これらリブ２１１、２１２ａ、２１２ｂの変形により外部ケース２に収納された内部ケース３を効果的に固定しつつ、位置決め突起２１０ａ、２１０ｂの配列方向に外部ケース２の寸法変化が発生した場合においても、外部ケース２の寸法変化を吸収することが可能となる。
【００５８】
なお、本考案は上記実施の形態に限定されず、種々変更して実施することが可能である。上記実施の形態において、添付図面に図示されている大きさや形状などについては、これに限定されず、本考案の効果を発揮する範囲内で適宜変更することが可能である。その他、本考案の目的の範囲を逸脱しない限りにおいて適宜変更して実施することが可能である。
【００５９】
例えば、上記実施の形態においては、内部ケース３に位置決め孔３１２ａ、３１２ｂを設け、これらの位置決め孔３１２ａ、３１２ｂに位置決め突起２１０ａ、２１０ｂを挿通させる一方、蓋体４に設けた突出部４１０ａ、４１０ｂでリブ２１３ａ、２１３ｂを変形させて内部ケース３及び蓋体４を外部ケース２に固定する場合について説明しているが、内部ケース３及び蓋体４の構成については、これに限定されるものではなく適宜変更が可能である。例えば、蓋体４に位置決め孔３１２ａ、３１２ｂに相当する一対の位置決め孔を設け、これらの位置決め孔に位置決め突起２１０ａ、２１０ｂを挿通させる一方、内部ケース３に突出部４１０ａ、４１０ｂに相当する一対の突出部を設け、これらの突出部でリブ２１３ａ、２１３ｂを変形させて内部ケース３及び蓋体４を外部ケース２に固定するようにしても良い。
【００６０】
また、上記実施の形態においては、中央端子８及び接点端子９に対向する位置に位置決め突起２１０ａ、２１０ｂを設ける場合について説明しているが、位置決め突起２１０ａ、２１０ｂが設けられる位置については、これに限定されるものではなく適宜変更が可能である。例えば、中央端子８及び接点端子９の配列方向の外側にこれらの位置決め突起２１０ａ、２１０ｂを設けるようにしても良い。
【００６１】
さらに、上記実施の形態においては、一対の位置決め突起２１０ａ、２１０ｂを外部ケース２の内底面２０６に設ける場合について説明しているが、位置決め突起２１０の数量については、これに限定されるものではなく適宜変更が可能である。例えば、外部ケース２の側壁部２０２ｂの近傍の内底面２０６に設けられることを前提として、この側壁部２０２ｂに設けられた一対のリブ２１３ｂの中央近傍に設けた単一の位置決め突起２１０を設けるようにしても良いし、３つ以上の位置決め突起２１０を設けるようにしても良い。
【図面の簡単な説明】
【００６２】
【図１】本考案の一実施の形態に係るスイッチ装置の全体構成を示す分解斜視図である。
【図２】上記実施の形態に係るスイッチ装置が有する外部ケースの上面図（ａ）及びこの上面図に示す一点鎖線における断面図（ｂ）、（ｃ）である。
【図３】上記実施の形態に係るスイッチ装置が有する中央端子の斜視図（ａ）、正面図（ｂ）及び側面図（ｃ）である。
【図４】上記実施の形態に係るスイッチ装置が有する接点端子の斜視図（ａ）、正面図（ｂ）及び側面図（ｃ）である。
【図５】上記実施の形態に係るスイッチ装置が有する内部ケースの拡大斜視図（ａ）及び上面図（ｂ）である。
【図６】上記実施の形態に係るスイッチ装置が有する導体板の斜視図（ａ）、並びに、この導体板にコイルばねを組み付けた状態の斜視図（ｂ）、上面図（ｃ）及び側面図（ｄ）である。
【図７】上記実施の形態に係るスイッチ装置が有する蓋体の斜視図（ａ）、上面図（ｂ）、側面図（ｃ）及び下面図（ｄ）である。
【図８】上記実施の形態に係るスイッチ装置が有する操作部材の下面図（ａ）及びこの下面図に示す一点鎖線における断面図（ｂ）である。
【図９】上記実施の形態に係るスイッチ装置を組み立てた状態の斜視図である。
【図１０】上記実施の形態に係るスイッチ装置が有する外部ケースの内部における構成部品の状態について説明するための斜視図である。
【図１１】上記実施の形態に係るスイッチ装置が有する外部ケースの内部における構成部品の状態について説明するための斜視図である。
【図１２】上記実施の形態に係るスイッチ装置の外部ケースに内部ケースを収納した状態の上面図である。
【図１３】図１２に示す状態のスイッチ装置の内部ケースに対して蓋体を配置した状態の上面図である。
【図１４】上記実施の形態に係るスイッチ装置の断面図である。
【図１５】上記実施の形態に係るスイッチ装置の断面図である。
【符号の説明】
【００６３】
１  スイッチ装置
２  外部ケース
２０１  収納部
２０２、２０４  側壁部
２０３  孔
２０５  フック部
２０６  内底面
２０７ａ、２０７ｂ  貫通孔
２０８ａ、２０８ｂ  突出部
２０９ａ、２０９ｂ  凹部
２１０ａ、２１０ｂ  位置決め突起
２１１、２１２ａ、２１２ｂ  リブ
２１３ａ、２１３ｂ  リブ
３  内部ケース
３０１  収納部
３０２  内底面
３０３  隔壁
３０４、３０５ａ、３０５ｂ  側壁部
３０６ａ、３０６ｂ  凹部
３０７ａ、３０７ｂ  露出孔
３０８  突出片
３０９  突出片
３１０  係合凸部
３１１  凹部
３１２ａ、３１２ｂ  位置決め孔
４  蓋体
４０１  箱状部
４０２  収納部
４０３  平面部
４０４  上面部
４０５  窓孔
４０６ａ、４０６ｂ  側壁部
４０７  突出片
４０８  係合凹部
４０９ａ、４０９ｂ  側壁部
４１０ａ、４１０ｂ  突出部
５  操作部材
５０１  操作部
５０２  軸部
５０３  当接片
５０４  収容部
６  コイルばね
６０１  巻回部
６０２ａ、６０２ｂ  腕部
７  導体板
７０１  基部
７０２  保持部
７０３  斜面部
７０４  収容部
７０５ａ、７０５ｂ  保持片
７０６  係止片
７０７  突出部
７１  可動接点
８  中央端子
８０１  端子部
８０２  平面部
８０３  開口部
８０４  係合片
８０５  突起部
８０６  規制片
８０７  突出部
８０８  凹部
９  接点端子
９０１  端子部
９０２  平面部
９０３  開口部
９０４  係合片
９０５  突起部
９１  固定接点
【図１】
0003148859.tif 000003
【図２】
0003148859.tif 000004
【図３】
0003148859.tif 000005
【図４】
0003148859.tif 000006
【図５】
0003148859.tif 000007
【図６】
0003148859.tif 000008
【図７】
0003148859.tif 000009
【図８】
0003148859.tif 000010
【図９】
0003148859.tif 000011
【図１０】
0003148859.tif 000012
【図１１】
0003148859.tif 000013
【図１２】
0003148859.tif 000014
【図１３】
0003148859.tif 000015
【図１４】
0003148859.tif 000016
【図１５】
0003148859.tif 000017